(57)【要約】      （修正有）【課題】スーパーマーケットの従業員が扱い慣れた市販のロールホルダーに装着して、スーパーマーケットの利用者が簡単、迅速、衛生的にロール状ポリ袋の開口が出来るポリ袋開口具を提供する。【解決手段】ポリ袋開口具１は、スーパーマーケットで導入済みの市販のロールホルダーに、矩形状板材を基板２として、基板２の上縁部３中央に、ロールホルダーの桁に対して着脱可能な垂直に懸吊するフック５を設け、基板２の下縁部４全長に渡り棚状の張出８を基板２に対して直角に設け、棚状の張出８にポリ袋を摺動して開口する為の連続山形凹凸加工９を施して構成される。【選択図】図１
0003229594.tif 000002
【実用新案登録請求の範囲】
【請求項１】
スーパーマーケットで導入済みの市販のロールホルダーに、矩形状板材を基板として、該基板の上縁部中央に、前記ロールホルダーの桁に対して着脱可能な垂直に懸吊するフックを設け、該基板の下縁部全長に渡り棚状の張出を該基板に対して直角に設け、該棚状の張出にポリ袋を摺動して開口する為の連続山形凹凸加工を施して構成されるポリ袋開口具。
【考案の詳細な説明】
【技術分野】
【０００１】  本考案は、スーパーマーケットなどにおいて開けにくいロール状ポリ袋を簡単、迅速、衛生的に開けることが出来るポリ袋開口具に関するものである。
【背景技術】
【０００２】  従来、スーパーマーケットなどの大型食品店では、レジの操作、商品の補充、店内の什器類の点検、清掃など様々な職種で多数の従業員が雇用されているが、従業員が扱うレジその他機器類の操作方法や什器類の取り扱い方法は、例えば、短時日の研修で済むような簡便であることが望まれる。【０００３】  前記什器類に含まれるロール状ポリ袋を装着するロールホルダーは、故障の少ない簡易な機構と簡便な操作性、例えば、ロール状ポリ袋の補充が人手と時間をかけずに容易に行える機構であると共に、ロール状ポリ袋の全重量を支え、不特定多数の利用者が、利用者毎に異なる力でポリ袋を引き出す際の回動、ポリ袋を破断するときの振動などに対する耐久性が必要とされる。【０００４】  図６は従来、市販されているロールホルダーを説明するための図である。底板（１８）とその左右に相対して直角に接続する側板（１７）と該側板（１７）を保持する前後の桁（１５）、（１６）からなる空間に、円筒形状を成すロール状ポリ袋（２３）の両底面の中心を結ぶ中空芯（２５）に回動軸（２０）を挿入し、左右側板（１７）に設けられた回動軸軸受（１９）に回動軸（２０）を装架することでロール状ポリ袋（２３）が使用出来る状態となる。利用者は、図７、８、９で示すようにロール状ポリ袋１枚目（２４）を連続して形成されている２枚目のポリ袋との境界部分にある切断用ミシン目（２８）付近まで手前に引き出し、ミシン目切断用の三角形状突起（１４）と該切断用ミシン目（２８）とを合わせた後、ロール状ポリ袋１枚目（２４）を下方に引き下げて切断する仕組みを成している。
【先行技術文献】
【特許文献】
【０００５】
【特許文献１】特開２０１１−１３１９１２号公報
【考案の概要】
【考案が解決しようとする課題】
【０００６】  例えば、前記したロールホルダーでは、ロール状ポリ袋の切断用ミシン目が三角形状突起まで引き出す以前に裂けてしまう場合があること、利用者によっては買い物した商品数に応じて、ロール状ポリ袋を複数枚連続して引き出し、三角形状突起を使用せずに手で切断する場合があること、ロール状ポリ袋が開けにくい理由のひとつである滑りやすい性質によって、利用者が意図せずに引き出し途中でロール状ポリ袋を放してしまう場合があり、これらの動作に起因して、引き出されていない残りのロール状ポリ袋の重みで切断した箇所、すなわち次の引き出し面が、引き出されていない残りのロール状ポリ袋側に巻き取られてしまうこと等の事態を生じることがある。【０００７】  例えば、特許文献１は、１枚目のロール状ポリ袋を切断する所定の位置となる延出平面先端まで引き出した後、ロール状ポリ袋のミシン目を前記ロールホルダーの三角形状突起に相当する延出平面先端に当てた状態で下方に引いて切断すると、切断時の下向きの力で２枚目のロール状ポリ袋が延出平面に貼着された弱粘着性シートに張り付けられて開口しやすくなると共に、２枚目以降のロール状ポリ袋が引き出されないような機構を有している。もし、利用者が前記所定の方法でロール状ポリ袋を切断しなかった場合、ロール状ポリ袋の引き出し中は、引き出しを防止する機構が働かないので、前記ロールホルダーの場合と同様の事態が生じると、弱粘着性シートに２枚目のロール状ポリ袋は張り付かないと考えられるが、特許文献１では前述のような事態を想定した対策は無く、外れてしまったロール状ポリ袋の先端部分を再度、機構に引き通す方法も記載されていない。【０００８】  本考案は、これらの問題点を解決するために、スーパーマーケットの従業員が扱い慣れた市販のロールホルダーに装着して、スーパーマーケットの利用者が簡単、迅速、衛生的にロール状ポリ袋の開口が出来ることを目的とするものである。
【課題を解決するための手段】
【０００９】  前記目的を達成する為に、矩形状板材を基板として、該基板の上縁部中央に、前記ロールホルダーの桁に対して着脱可能な垂直に懸吊するフックを設け、該基板の下縁部全長に渡り棚状の張出を該基板に対して直角に設け、該棚状の張出にポリ袋を摺動して開口する為の連続山形凹凸加工を施して構成される。
以上を特徴とするポリ袋開口具である。
【考案の効果】
【００１０】（イ）利用者は、開口部が密着したロール状ポリ袋を、前記ロールホルダー周辺に用意された濡れタオルや利用者自身の指を舐めることなどで開口せずに、簡単、迅速、衛生的に開口することが出来る。
（ロ）スーパーマーケットは、利用者の利便性に立って、ポリ袋の開口を目的として新規な仕組みを有するロールホルダーを導入するための費用負担をする必要がなく、既存のロールホルダーをそのまま使用出来れば費用負担のみならず、本考案の簡易な構造により、従業員教育が不要になると共に、従業員による日常的な維持、管理の負担が前記の新規な仕組みを有するロールホルダーにくらべて軽減される。
【図面の簡単な説明】
【００１１】
【図１】本考案の実施図
【図２】本考案の正面図
【図３】本考案の右側面の断面図
【図４】本考案の背面図
【図５】本考案の平面図
【図６】市販のロールホルダーとロール状ポリ袋の見取図
【図７】市販のロールホルダーからロール状ポリ袋を引き出す状態図
【図８】ロール状ポリ袋の切断用ミシン目を三角形状突起で刺突した状態図
【図９】［図８］に続いてロール状ポリ袋を切断用ミシン目で切り離す状態図
【考案を実施するための形態】
【００１２】  以下、添付図面に従って本考案を実施するための形態について説明する。
（イ）本考案の構成は、矩形状板材を基板（２）として、該基板（２）の上縁部（３）中央に前記ロールホルダーの前桁（１５）に対して着脱可能な垂直に懸吊するフック（５）を設け、該基板の下縁部（４）全長に渡り棚状の張出（８）を該基板に対して直角に設け、該棚状の張出（８）にポリ袋を摺動して開口する為の連続山形凹凸加工（９）を施し、フック（５）が設けられた面を本体背面（１０）、該棚状の張出（８）が設けられた面を本体前面（１１）とする。
（ロ）フック（５）は、前記ロールホルダーの前桁（１５）に垂直に懸吊するために、該ロールホルダーの前桁（１５）を包摂する断面が、図３で示すように上下逆の略Ｕ字状構造（１２）を成し、本体前面（１１）側をフック前面（６）、本体背面（１０）側をフック背面（７）とし、ロールホルダーからロール状ポリ袋を引き出す動作等において容易に脱落しないようフック背面（７）に十分な長さを設ける。
（ハ）棚状の張出（８）の左右端部には、フック（５）を用いて本考案を装着できないロールホルダーやロールホルダーに装着せずに本考案を使用する場合に備えて、吸盤などにより必要な場所へ固定することが出来るようそれぞれ長穴（１３）を施す。
（ニ）本考案を前記ロールホルダーに装着するときは、棚状の張出（８）のある本体前面（１１）を利用者側に向け、フック（５）をロールホルダーの前桁（１５）に懸吊するが、ロールホルダーにロール状ポリ袋（２３）が装架されている場合は、安全のために一旦ロール状ポリ袋（２３）を取り外した後、懸吊する。
（ホ）本考案を使用するときは、利用者が図７、８、９で示すようにロール状ポリ袋１枚目（２４）を連続して形成されている２枚目のポリ袋との境界部分にある切断用ミシン目（２８）付近まで手前に引き出し、ミシン目切断用の三角形状突起（１４）と該切断用ミシン目（２８）とを合わせた後、ロール状ポリ袋１枚目（２４）を下方に引き下げて切断後、図１で示すように該連続山形凹凸加工（９）に前記ポリ袋を摺動させて、簡単、迅速、衛生的に開口することが出来る。
【００１３】  前記した棚状の張出（８）に連続山形凹凸加工（９）を施した形状に限定されるものではなく、粘着力を有するシリコーンゴム等を貼着してもよい。
【符号の説明】
【００１４】  １    ポリ袋開口具
２    基板
３    上縁部
４    下縁部
５    フック
６    フック前面
７    フック背面
８    棚状の張出
９    連続山形凹凸加工
１０    本体背面
１１    本体前面
１２    略Ｕ字状構造
１３    長穴
１４    三角形状突起
１５    前桁
１６    後桁
１７    側板
１８    底板
１９    回動軸受
２０    回動軸
２１    架台支柱
２２    架台
２３    ロール状ポリ袋
２４    ロール状ポリ袋１枚目
２５    中空芯
２６    ロール状ポリ袋１枚目開口部
２７    ロール状ポリ袋１枚目底部
２８    切断用ミシン目
２９    ロール状ポリ袋２枚目
３０    開口の為、摺動されるポリ袋
【図１】
0003229594.tif 000003
【図２】
0003229594.tif 000004
【図３】
0003229594.tif 000005
【図４】
0003229594.tif 000006
【図５】
0003229594.tif 000007
【図６】
0003229594.tif 000008
【図７】
0003229594.tif 000009
【図８】
0003229594.tif 000010
【図９】
0003229594.tif 000011